(57)【特許請求の範囲】
【請求項１】
ファンケーシング内に排気用ファンが配設され、前記ファンケーシングの底面に排気用の吸込み口が形成されるレンジフードであって、
前記排気用ファンに一体回転可能に装着されると共に、排気が通過する多数の通気孔を有する油捕集部材と、
前記油捕集部材の下方に着脱可能に設けられると共に、前記油捕集部材から流下した捕集油を溜める油溜め部を有するオイルトレーとを備え、
前記油捕集部材は、前記排気用ファンの回転方向に沿って隣接する前記通気孔の間を切り起こした突起を有する、
ことを特徴とするレンジフード。
【請求項２】
前記ファンケーシングの底面が、前記排気用の吸込み口側に向けて先下がりに傾斜している、
請求項１に記載のレンジフード。
【発明の詳細な説明】
【技術分野】
【０００１】
本発明は、レンジフードに関し、詳しくは例えば、ガスコンロ、電気コンロ、および電磁誘導感熱式クッキングヒータ（ＩＨヒータ）などの加熱調理器具の上方に設置されて、調理中に発生する煙や湯気などの排気を吸い込み捕集して屋外に排出するためのレンジフードに関する。
【背景技術】
【０００２】
レンジフードにおいては、排気に含まれる油分を捕集回収するために、例えば、ファンロータの上手にグリスフィルターを配備して、ファンロータに吸い込まれる排気中の油分を吸着捕集するもの（特許文献１参照）、あるいは、ファンケーシングに付着した油を流下案内して所定のオイルポケットに導くようにしたもの（特許文献２参照）、などが知られている。
【先行技術文献】
【特許文献】
【０００３】
【特許文献１】特開昭６０−１４０２９号公報
【特許文献２】特開２０００−３２９３８７号公報
【発明の概要】
【発明が解決しようとする課題】
【０００４】
しかしながら、グリスフィルターを用いて排気中の油分を捕集する特許文献１では、排気中に油粒子や油滴として存在している油分は有る程度捕集することができるが、排気中に蒸気として存在している油分はグリスフィルターを通過しやすいものであった。また、適時、グリスフィルターを洗浄あるいは交換する必要があり、手入れに手数がかかるものであった。
【０００５】
一方、捕集した油を所定のオイルポケットに導く特許文献２では、オイルポケットを取り外して回収した油を廃棄することができるとともに、オイルポケット自体を比較的簡単に清掃することができ、手入れは前者に比べて容易なものとなるが、排気中に含まれる油分がファンケーシング等の各所に付着することを期待するだけの捕集形態であるために、油分の捕集効率が低いものであった。
【０００６】
本発明は、このような点に着目してなされたものであって、排気に含まれる油分を効率よく捕集して、簡単に廃棄することができるレンジフードを提供することを目的とする。
【課題を解決するための手段】
【０００７】
前記の課題を解決するために、本発明は、次のように構成している。
【０００８】
（１）本発明のレンジフードは、ファンケーシング内に排気用ファンが配設され、前記ファンケーシングの底面に排気用の吸込み口が形成されるレンジフードであって、前記排気用ファンに一体回転可能に装着されると共に、排気が通過する多数の通気孔を有する油捕集部材と、前記油捕集部材の下方に着脱可能に設けられると共に、前記油捕集部材から流下した捕集油を溜める油溜め部を有するオイルトレーとを備え、前記油捕集部材は、前記排気用ファンの回転方向に沿って隣接する前記通気孔の間を切り起こした突起を有する。
【０００９】
本発明によると、排気用ファンと一体で高速回転する油捕集部材に排気中の油滴や油粒子が衝突して付着捕集されるとともに、排気が通気孔を通過する際に発生する乱流によって圧力変動がもたらされ、この圧力変動によって排気中に含まれる油分の蒸気が結露しやすくなり、通気孔などに効率よく付着捕集される。
【００１０】
油捕集部材に付着捕集された油は、オイルトレーに流下回収され、適時、オイルトレーを取り外すことで、回収した油を容易に廃棄することができる。
また、油捕集部材は、排気用ファンの回転方向に沿って隣接する前記通気孔の間を切り起こした突起を有するので、油捕集部材の近傍での乱流発生が促進され、圧力変動に伴う油蒸気の結露を促すことができ、一層効率よく油分の付着捕集を行うことができる。
【００２１】
（２）本発明の好ましい実施態様では、前記ファンケーシングの底面が、前記排気用の吸込み口側に向けて先下がりに傾斜している。
【００２２】
この実施態様によると、油捕集部材に捕集されることなく排気用ファンで送出された排気中の油分は、ファンケーシングの内面に付着し、自重により流下する。流下する油は、ファンケーシングの傾斜した底面に沿って円滑に案内されて、オイルトレーに回収することができる。
【発明の効果】
【００２３】
以上のように、本発明に係るレンジフードによれば、高速回転する排気用ファンを利用して排気中の油分を効率よく捕集し、簡単に廃棄することができる。
【図面の簡単な説明】
【００２４】
【図１】レンジフードを下方から見た斜視図である。
【図２】レンジフードを下方から見た分解斜視図である。
【図３】要部の縦断正面図である。
【図４】図３におけるＡーＡ断面図である。
【図５】排気用ファンを下方から見た斜視図である。
【図６】操作部の正面図である。
【図７】制御ブロック図である。
【図８】参考例における要部の縦断正面図である。
【図９】参考例の排気用ファンを下方から見た斜視図である。
【図１０】本発明の実施形態の排気用ファンにおける要部の縦断正面図である。
【図１１】参考例における排気用ファンの縦断面図である。
【図１２】参考例における排気用ファンの縦断正面図である。
【発明を実施するための形態】
【００２５】
以下、本発明の実施の形態について、図面を参照しながら説明する。
本発明の実施形態の説明に先立って、本発明の実施形態と共通する構成を有する参考例について説明する。
【００２６】
図１は参考例のレンジフード１を下方から見た斜視図であり、図２はその分解斜視図であり、図３は要部を縦断した正面図である。
【００２７】
本参考例のレンジフード１は、図示しない台所等に設置されるコンロの上方に配設されるものであり、排気用ファン２を内装した箱形の本体ハウジング３、本体ハウジング３の下端に連設されたフードケース４、フードケース４の内側に装着された内装パネル５、及び、整流板６、等が備えられている。
【００２８】
本体ハウジング３の内部には、ファンケーシング７が固定配備されるとともに、このファンケーシング７の天井部に一部入り込む状態でファン駆動用のモータ８が縦向きに固定配備され、モータ８から下向きに延出された回転軸９に、シロッコファンからなる排気用ファン２が着脱可能に連結されている。
【００２９】
ファンケーシング７の底面には、排気用ファン２の下端吸気部に臨む吸込み口１０が形成されるとともに、ファンケーシング７は、本体ハウジング３の外方に延出された排気ダクト１１に連通接続されている。
【００３０】
前記フードケース４は、下面全体が開口された平面視矩形の浅い箱形に形成されており、図２に示すように、その奥側側壁部の下端辺に備えられた左右の係止爪１２に、内装パネル５の奥端辺を係止した上で、内装パネル５の前端隅部をフードケース４にネジ締め固定するようになっている。
【００３１】
フードケース４における奥側壁部には、照明ランプ１３や種々の電気機器が装備されており、これらが内装パネル５によって覆い隠されるようになっている。また、内装パネル５には、ガラス板あるいは透光樹脂板からなるランプカバー１４が開閉可能に備えられており、パネル装着状態において照明ランプ１３の前面がランプカバー１４で覆われる。フードケース４における前面には、各種の操作及び設定を行う操作部１５が装備され、また、フードケース４と内装パネル５との間に形成される空隙が配線スペースとなっている。
【００３２】
内装パネル５の天井部には、吸込み口１０から流下する油液を受け止め回収する油溜め部である環状の油溜まり１６ａを備えたオイルトレー１６が装着されている。このオイルトレー１６の四隅には、図２に示すように、係止孔１７と係止凹部１８が備えられており、これらをファンケーシング７に備えられた係止金具５０にそれぞれ横方向からスライド係止することで、オイルトレー１６をファンケーシング７に着脱可能に連結することができるようになっている。
【００３３】
整流板６は、フードケース４における下向き開口より一回り小さい略矩形の扁平板状に構成されている。整流板６は、その奥端部の左右に備えた孔付きの連結金具１９を、内装パネル５の奥側に設けられた左右のフック２０に係止し、その係止点を中心にして整流板６を持上げ揺動することで、整流板６における手前側の左右に突設した孔付きの連結金具２１に、内装パネル５の左右に備えたロックピン２２が付勢係合して、整流板６を内装パネル５に対して所定の装填位置に固定するように構成されている。
【００３４】
整流板６が装填位置セットされた状態では、整流板６の外周端と内装パネル５の周壁部との間に環状の流路２３が形成されている。また、内装パネル５の下面と整流板６の上面との間はフード内通路２４となっており、このフード内通路２４を介して流路２３と吸込み口１０とが連通している。ここで、環状の流路２３を狭幅に形成することで、整流板６に当たった排気が狭幅の流路２３内ヘと高速で流入するようになり、これにより、ケーシング側方への排気の溢流が抑制されて、吸込み口１０を経由する排気の捕獲率が向上する。
【００３５】
また、整流板６における奥端辺の中央部位には、ランプカバー１４に対応する凹入部６ａが形成され、照明ランプ１３からの光が整流板６で遮られることなく前方下方に広く照射されるようになっている。
【００３６】
図６に示すように、前記フードケース４の前面に設けられた操作部１５には、照明スイッチＳ1、風力切換え用の運転スイッチＳ2、タイマースイッチＳ3、チャイルドロックスイッチを兼ねた切りスイッチＳ4、お手入れサインスイッチＳ5、等のスイッチ類と、各スイッチに対応するＬＥＤからなるモニターランプＬ1〜Ｌ8が備えられている。
【００３７】
図７に示すように、操作部１５からの指令信号は制御部４０に入力され、その信号に応じて排気用ファン２のオン/オフと風力切換え、照明ランプ１３のオン/オフ、等が制御されるとともに、作動状態に対応してモニターランプＬ1〜Ｌ8が点灯作動するようになっている。
【００３８】
つまり、照明スイッチＳ1を押すたびに照明ランプ１３の点灯と消灯が切換えられ、点灯時にはモニターランプＬ1が点灯する。運転スイッチＳ2を押すと排気用ファン２が起動され、押すたびに風力が循環式に順次切換って、対応する風力のモニターランプＬ2〜Ｌ4が点灯する。タイマースイッチＳ3を押すと自動運転時間が設定され、設定時間の経過の後に自動的にファン運転が停止される。また、タイマースイッチＳ3を押し操作するつど、自動運転時間が「５分」，「１５分」，「３０分」に循環して切り換えられ、これに対応するモニターランプＬ5〜Ｌ7が点灯する。切りスイッチＳ4を押すと運転作動している排気用ファン２が停止され、３秒以上長押しするとチャイルドロックがかかり、再度３秒以上長押しするとロックが解除される。お手入れサインスイッチＳ5は、お手入れ時期を選択するものであり、押し操作のつど、「３０日」，「６０日」，「９０日」の設定を切り換えることができる。その設定操作に伴って日数積算が開始され、満了期日に至るとモニターランプＬ8が点灯（あるいは点滅）してユーザーに清掃等の手入れを促す。なお、お手入れサインスイッチＳ5を３秒以上長押しすると、ブザー４１（図７参照）が鳴動して積算日数がリセットされ、かつ、モニターランプＬ8が消灯される。
【００３９】
図４は、図３におけるＡーＡ断面図であり、図５は、排気用ファンを下方から見た斜視図である。
【００４０】
図３〜図５を参照して、シロッコファンからなる排気用ファン２は、扁平リング状に形成された上部支持板２５と下部支持板２６とに亘って多数のファンブレード２７が周方向一定ピッチで支持されるとともに、ファンブレード２７の上下中間部位が、中間支持板２８に貫通支持された構造となっている。
【００４１】
中間支持板２８の下面中央には、ファンボス２９が連結固定されるとともに、ファンボス２９の中心に、モータ８の下向き回転軸９に下方から挿抜可能な連結ボス部２９ａが、中間支持板２８を貫通して上向きに突設されている。ファンボス２９は、周知のワンタッチ着脱手段によって、連結ボス部２９ａに挿入された回転軸９との連結及び解除が可能となっている。
【００４２】
すなわち、回転軸９の上下中間箇所には、トルク伝達用の駆動ピン３０が横向きに貫通止着されるとともに、回転軸９の下部近くには、連結溝３１が形成されている。排気用ファン２を持上げて、ファンボス２９の連結ボス部２９ａを回転軸９に下方から挿嵌すると、連結ボス部２９ａの上端に十字状に形成されたＶ形の係合溝３２に、回転軸９の駆動ピン３１が係入するように回転軸９が追従回転する。回転軸９に連結部２９ａが所定深さまで挿嵌されて、駆動ピン３０が係合溝３２に正しく係合されると、ファンボス２９に内蔵された図示されていないロック爪が自動的に回転軸９の連結溝３１に付勢係合され、これによって、回転軸９と排気用ファン２とが一体回転可能に連結される。
【００４３】
また、ファンボス２９の外周部に備えられた解除ノブ３３を、ボス中心側に押し込み操作すると、内蔵されているロック爪が係合付勢力に抗して係合解除方向に強制後退され、この状態で排気用ファン２を下方に引き下げることで回転軸９から抜き外すことができ、清掃時における排気用ファン２の着脱をワンタッチ操作で行えるようになっている。
【００４４】
本参考例においては、上記構成の排気用ファン２に排気中の油分を捕集する機能が与えられており、以下にその油捕集手段について説明する。
【００４５】
すなわち、排気用ファン２の下半内部に、排気中の油滴を付着、あるいは、排気中の油分蒸気を結露させて捕集する油捕集部材３５が装着固定されている。この油捕集部材３５は、例えば、鉄や耐食性に優れるステンレス等の金属製の薄板からなり、筒状部としての円筒状の周部３５ａと円形の上底部３５ｂとを備えた、下向きに開放された有底円筒状に形成されている。油捕集部材３５は、
ファンブレード２７群の内周に沿う周部３５ａと上底部３５ｂのそれぞれに断面積の小さい多数の通気孔３６ａ，３６ｂが密に配列形成されている。通気孔の形状は、特に限定されず、例えば、円形、楕円形、矩形、十字形、あるいは、後述のスリット状などであってもよい。油捕集部材３５は、一様に通気孔群を打ち抜き形成したパンチングメタルや、線材を編んだ網体で構成してもよい。
【００４６】
なお、上底部３５ｂの通気孔３６ｂが、中間支持板２８に備えられた放射状アーム２８ａによって塞がれることがないように、上底部３５ｂは中間支持板２８から下方に少し離して配備されている。
【００４７】
本参考例に係るレンジフード１は以上にように構成されており、排気用ファン２の回転に伴って発生した負圧によって、整流板６の外周に形成された流路２３から排気がフード内の吸込み口１０に吸引され、排気用ファン２によって送り出された排気はファンケーシング７で案内されて排気ダクト１１に導かれてゆく。
【００４８】
排気が、油捕集部材３５の通気孔３６ａ，３６ｂ群を通過する際、排気に含まれる微細な油滴は油捕集部材３５の表面や通気孔３６ａ，３６ｂに付着し、また、排気中に含まれる油分の蒸気は、排気が通気孔３６ａ，３６ｂ群を通過する時に発生する乱流に起因する気圧の変動によって結露し、捕集部材３５の表面や通気孔３６ａ，３６ｂに付着する。そして、このようにして油捕集部材３５の表面や通気孔３６ａ，３６ｂに付着した油分は、複数の微細な油滴として分散することになるが、分散した複数の微細な油滴同士がその一部でも接触すると、油分の表面張力により合体して一滴あたりの体積が増大した大きな粒状に変形して、ファン停止中に自重により流下して、オイルトレー１６の油溜まり１６ａに回収される。
【００４９】
また、ファンケーシング７の内面に付着した油は、自重で流下してケーシング底面７ａを経て吸込み口１０側に導かれ、オイルトレー１６の油溜まり１６ａに回収される。ここで、ファンケーシング７の底面７ａは、吸込み口１０に向けて先下がり傾斜されており、油は底面７ａに滞留することなくオイルトレー１６に流下しやすいものとなっている。
【００５０】
なお、オイルトレー１６は、上記のように、その四隅の係止孔１７及び係止凹部１８を、ファンケーシング７に備えられた係止金具５０に横方向からスライド係止して連結しているので、オイルトレー１６を、横スライド操作することで取り外すことができる。したがって、お手入れサインが出た際などには、整流板６を下方に揺動開放した上で、オイルトレー１６を取り外して、溜まった油を廃棄することができる。
【００５１】
なお、整流板６、内装パネル５、ファンケーシング７などの排気が触れる各部材の表面は、オイルガード塗装が施されて撥油性が付与されており、付着した油の流動が円滑に行われるとともに、付着した油の拭取りを容易に行うことができるようになっている。また、オイルトレー１６には親水性塗装が施されて、オイルトレー１６を水に浸すことで付着している油が浮き上がって除去しやすくなっている。
【００５２】
本参考例は、以下のような形態で実施することもできる。
【００５３】
（１）図８，図９に示すように、油捕集部材３５の周部３５ａを下拡がりのテーパーコーン状に形成すると、通気孔３６ａに付着した油がファン回転に伴う遠心力によって下方に流下し易くなって、オイルトレー１６に油を効率的に回収することができる。
【００５４】
また、通気孔３６ａを、上下方向に延びる縦長のスリット状に形成すると、例えば、円形の通気孔を形成する場合に比べて、通気孔３６ａに付着した油が、流下し易くなる。
【００５５】
すなわち、油捕集部材は、多数の通気孔を有しているので、上方の通気孔に付着捕集された油は、その下方の通気孔へと順次流下していくのであるが、通気孔の下端で停滞しがちである。通気孔３６ａを、上下方向に延びる縦長のスリット状とすることによって、円形の通気孔に比べて、上下方向の通気孔の数を減らすことができ、通気孔の下端での油の停滞を抑制し、効率的にオイルトレー１６へ油を回収することができる。
【００５６】
また、本発明の実施形態では、図１０に示すように、油捕集部材３５の上底部３５ｂに、回転方向に隣接する通気孔３６ｂの中間部位に小突起３７を切り起こし形成することで、上底部近傍での排気の乱流発生を促進して、乱流発生に伴う圧力変動によって油蒸気を効果的に結露させて付着回収することができる。この小突起３７は、周部３５ａに設けてもよく、上底部３５ｂ及び周部３５ａの両方に設けてもよい。
【００５７】
（２）有底筒状の油捕集部材３５を排気用ファン２に着脱可能に構成すると、排気用ファン２を取り外して洗浄する際に、油捕集部材３５をも分解して容易に洗浄することができる。
【００５８】
（３）上記参考例は、旧来構造の排気用ファンに油捕集部材３５を追加装着して、油分回収機能を備えた排気用ファン２を構成しているが、図１１に示すように、前記中間支持板２８自体を、油捕集用の通気孔３６ｂ群を備えた油捕集部材に兼用するとともに、ファンブレードの下半部内側に沿って、通気孔３６ａ群を備えた円筒状の油捕集部材３５を配備する形態で実施することもできる。これによると、有底筒状の油捕集部材３５を用いる場合に比べて排気用ファン２の軽量化を図ることができる。
【００５９】
（４）回転軸心方向での幅が比較的小さい仕様の排気用ファン２においては、図１２に示すように、ファンブレード２７の内周に沿ってのみ、通気孔３６群を備えた円筒状の油捕集部材３５を配備した形態で実施することもできる。
【００６０】
（５）油捕集部材３５は、排気用ファン２の外周に沿って配備するようにしてもよい。
【符号の説明】
【００６１】
１        レンジフード
２        排気用ファン
７        ファンケーシング
７ａ      底面
１０      吸込み口
１６      オイルトレー
１６ａ    油溜まり
３５      油捕集部材
３６      通気孔
３６ａ    通気孔
３６ｂ    通気孔
３７      小突起
【図１】
0006522904.tif 000002
【図２】
0006522904.tif 000003
【図３】
0006522904.tif 000004
【図４】
0006522904.tif 000005
【図５】
0006522904.tif 000006
【図６】
0006522904.tif 000007
【図７】
0006522904.tif 000008
【図８】
0006522904.tif 000009
【図９】
0006522904.tif 000010
【図１０】
0006522904.tif 000011
【図１１】
0006522904.tif 000012
【図１２】
0006522904.tif 000013